(57)【要約】【課題】複数の端末器や外付けのリレー等を用いることなく、用途に応じた様々な接点信号の出力形態を容易に設定して現場の負担を大幅に軽減することができると共に、設置面積や製造コストの低減を図ることができる接点出力端末器を提供する。【解決手段】接点制御システムにおいては、接点信号の出力形態の設定を設定者の物理的な操作によって行うことが可能なように、出力用リレー端末器の筐体表面に切り替え操作子１５を設け、この切り替え操作子１５の設定内容を取り込んだプロセッサの制御のもとに接点信号の出力形態を切り替える。【選択図】図２
2008294828.tif 000002
【特許請求の範囲】
【請求項１】
多重伝送線を介して受信した制御信号に応じて、制御対象となる負荷機器に接点信号を出力する接点出力端末器において、
前記負荷機器に応じた前記接点信号の出力形態の設定内容を入力する設定内容入力手段と、
前記設定内容入力手段によって入力された設定内容に基づいて前記接点信号の出力形態を切り替える切り替え手段と
を備えることを特徴とする接点出力端末器。
【請求項２】
前記設定内容入力手段は、前記接点信号の出力形態の設定を設定者の物理的な操作によって行うことが可能なように当該接点出力端末器の筐体表面に設けられた切り替え操作子であり、
前記切り替え手段は、前記切り替え操作子の設定内容を取り込み、前記接点信号の出力形態を切り替えること
を特徴とする請求項１に記載の接点出力端末器。
【請求項３】
前記設定内容入力手段は、外部の設定器を設定者が操作することによって設定された、前記接点信号の出力形態の設定内容を示す設定信号を無線通信又は有線通信を介して受信する受信手段であり、
前記切り替え手段は、前記受信手段によって受信した前記設定信号に基づいて、前記接点信号の出力形態を切り替えること
を特徴とする請求項１に記載の接点出力端末器。
【請求項４】
前記設定内容入力手段は、前記多重伝送線に接続された外部の設定器を設定者が操作することによって設定された、前記接点信号の出力形態の設定内容を示す設定信号を受信する受信手段であり、
前記切り替え手段は、前記受信手段によって受信した前記設定信号に基づいて、前記接点信号の出力形態を切り替えること
を特徴とする請求項１に記載の接点出力端末器。
【請求項５】
前記設定内容入力手段は、ａ接点又はｂ接点対応の接点信号を出力するモード、所定のパルス時間のワンパルス接点信号を出力するモード、接点信号を所定時間遅延させて出力するモード、若しくは、接点信号を所定時間間隔でフリッカ出力するモード、又は、これらを組み合わせたモードのいずれかを、前記接点信号の出力形態の設定内容として入力すること
を特徴とする請求項１乃至請求項４のうち何れか１項に記載の接点出力端末器。
【発明の詳細な説明】
【技術分野】
【０００１】
本発明は、多重伝送を用いた接点出力端末器に関し、特に、接点出力端末器から出力される接点信号の出力形態を設定する技術に関する。
【背景技術】
【０００２】
従来から、接点信号の入力に応じて動作する負荷機器を接点出力端末器に接続し、当該接点出力端末器が受信した制御信号に応じて接点信号を出力することにより、接続した負荷機器を遠隔制御する接点制御システムが用いられている（例えば、特許文献１等参照。）。例えば、接点出力端末器が操作スイッチに接続され、負荷機器が照明等である場合に、接点出力端末器が、操作スイッチの操作に応じた接点信号を負荷機器に送信する接点制御システムなどが知られている。
【０００３】
かかる接点制御システムは、例えば図６に示すように、多重伝送線Ｌを介して多重伝送スイッチ１０１に接続された多重伝送親機１０２と、負荷機器１０４が接続された接点出力端末器としての出力用リレー端末器１０３とが、当該多重伝送線Ｌを介して接続されて構成される。このような多重伝送を用いた接点制御システムは、多重伝送スイッチ１０１の操作に応じて、多重伝送線Ｌを介して多重伝送親機１０２から出力されたオン指示の制御信号に基づいて出力用リレー端末器１０３からオン指示の接点信号を出力して負荷機器１０４を動作させる。一方で、接点制御システムは、多重伝送親機１０２から出力されたオフ指示の制御信号に基づいて出力用リレー端末器１０３からオフ指示の接点信号を出力して負荷機器１０４の動作を停止させるという、いわゆるａ接点に対応するものが主流である。
【特許文献１】特開２００６−３１５５５号公報
【発明の開示】
【発明が解決しようとする課題】
【０００４】
ところで、接点制御システムは、その用途に応じて様々な接点信号の出力形態が要求されることがある。
【０００５】
例えば、接点制御システムの用途によっては、オン指示の制御信号の入力に対してオフ指示の接点信号を出力する又はオフ指示の制御信号に基づいて出力用リレー端末器１０３からオン指示の接点信号を出力するといった、逆出力の接点（いわゆるｂ接点）が必要とされる場合がある。この場合、従来の接点制御システムにおいては、ｂ接点専用の接点出力端末器を別途用意して対応することが多い。しかし、接点出力端末器を２種類用意する必要があるので、現場の手配の面での負担が大きいという問題があった。
【０００６】
また、従来の接点制御システムにおいては、図６に示したように、出力用リレー端末器１０３の出力側に外部リレー１０５を設け、この外部リレー１０５を介して、出力用リレー端末器１０３から出力された接点信号を反転させることも行われる。しかし、当該外部リレー１０５とその駆動電源とを別途用意し、これらを設置するスペースも確保する必要があるという問題があった。
【０００７】
また、接点制御システムにおいては、図７に示すように、負荷機器としてパルス接点動作機器１０６を用いた場合のように、用途によってはワンパルス接点信号の出力が必要な場合もある。この場合、従来の接点制御システムにおいては、ワンパルス接点信号出力専用の接点出力端末器を別途用意する必要があるので、現場の手配の面での負担が大きく、また、現場仕様が施工段階で変更された場合には再度手配が必要になるという問題があった。また、従来の接点制御システムにおいては、パルス接点動作機器１０６に応じて受信可能な接点信号のパルス時間が異なるので、現場に合わせて特注でワンパルス接点信号出力専用の接点出力端末器を製造する必要があり、納期や製造コストの面での負担が大きいという問題があった。さらに、従来の接点制御システムにおいては、図７に示したように、出力用リレー端末器１０３の出力側にワンショットタイマ１０７のような接点信号をワンパルス出力させるワンパルスリレーを設けることも行われる。しかし、当該ワンパルスリレーとその駆動電源とを別途用意し、これらを設置するスペースも確保する必要があるという問題があった。
【０００８】
さらに、接点制御システムにおいては、例えばホテルの部屋内や住居の玄関等の照明器具を、スイッチ操作後、所定時間遅延させて消灯させる場合のように、用途によっては接点出力をオン／オフするタイミングを遅延させたいという要望がある。この場合、従来の接点制御システムにおいては、図８に示すように、出力用リレー端末器１０３の出力側にディレイタイマ１０８のような接点信号の出力を遅延させるディレイリレーを設けることが行われる。しかし、当該ディレイリレーとその駆動電源とを別途用意し、これらを設置するスペースも確保する必要があるという問題があった。
【０００９】
さらにまた、接点制御システムにおいては、図９に示すように、負荷機器として状態報知灯や警告灯１０９を用いた場合のように、用途によってはフリッカ機能、すなわち、接点信号をオン／オフ交互に出力して負荷機器を所定時間間隔で点滅動作させる機能を持たせたいという要望がある。この場合、従来の接点制御システムにおいては、出力用リレー端末器１０３の出力側にフリッカタイマ１１０のような接点信号をフリッカ出力させるフリッカリレーを設けることが行われる。しかし、当該フリッカリレーとその駆動電源とを別途用意し、これらを設置するスペースも確保する必要があるという問題があった。
【００１０】
このように、従来の接点制御システムは、用途に応じた様々な接点信号の出力形態の要求に応えるために、現場の負担が著しく重く、また、余計な設置スペースを要したり、量産効果も期待できないことから製造コストの高騰を招来するという問題があった。
【００１１】
そこで、本発明は、上述したような問題を解決するために案出されたものであり、複数の端末器や外付けのリレー等を用いることなく、用途に応じた様々な接点信号の出力形態を容易に設定して現場の負担を大幅に軽減することができると共に、設置面積や製造コストの低減を図ることができる接点出力端末器を提供することを目的とする。
【課題を解決するための手段】
【００１２】
本発明に係る接点出力端末器は、負荷機器に応じた接点信号の出力形態の設定内容を入力する設定内容入力手段と、入力された設定内容に基づいて接点信号の出力形態を切り替える切り替え手段とを備えることで、上述の課題を解決する。
【発明の効果】
【００１３】
本発明に係る接点出力端末器によれば、用途に応じた様々な接点信号の出力形態の要求に応えるために複数の端末器や外付けのリレー等を用いる必要がなくなるので、現場の手配の負担を大幅に軽減することができると共に、設置面積の低減を図ることができる。また、本発明に係る接点出力端末器によれば、量産効果を大幅に上げることができることから製造コストの低減を図ることもできる。
【発明を実施するための最良の形態】
【００１４】
以下、本発明の実施の形態について図面を参照して説明する。
【００１５】
この実施の形態は、多重伝送線を用いて接点信号を出力することによって負荷機器を制御する接点制御システムである。特に、この接点制御システムは、接点出力端末器としての出力用リレー端末器に、接点信号の出力形態の設定及び切り替え手段を設けたものである。
【００１６】
［第１の実施形態］
接点制御システムは、図１に示すように、ユーザの操作を受け付ける多重伝送スイッチ１１と、信号の転送制御を行う多重伝送親機１２と、接点出力端末器としての出力用リレー端末器１３とが、多重伝送線Ｌを介して接続されて構成される。
【００１７】
多重伝送スイッチ１１は、例えば、制御対象となる負荷機器が照明器具である場合に、当該照明器具を制御するために壁面等に設けられたスイッチ等、負荷機器を利用するユーザの操作を受け付ける操作デバイスである。この多重伝送スイッチ１１が受け付けた操作情報は、多重伝送線Ｌを介して多重伝送親機１２に対して出力される。
【００１８】
多重伝送親機１２は、出力用リレー端末器１３や図示しない入力用リレー端末器といった多重伝送線Ｌに接続された各種端末器や、負荷機器１４ａ，１４ｂ，１４ｃに固有に割り当てられたアドレスを記憶しており、このアドレスに基づいて、多重伝送線Ｌを介して伝送される信号の転送制御を行う。多重伝送親機１２は、多重伝送線Ｌを介して多重伝送スイッチ１１から出力された操作情報に基づいて、多重伝送線Ｌを介して、オン指示又はオフ指示の制御信号を出力用リレー端末器１３に対して出力する。
【００１９】
出力用リレー端末器１３は、接点信号の入力に応じて動作する負荷機器１４ａ，１４ｂ，１４ｃと接続している。この出力用リレー端末器１３は、多重伝送線Ｌを介して多重伝送親機１２から出力された制御信号に基づいて、内部のプロセッサの制御のもとに、当該負荷機器１４ａ，１４ｂ，１４ｃを制御するための接点信号を出力する。
【００２０】
なお、ここでは、説明の便宜上、負荷機器１４ａは、通常のａ接点対応の機器であり、負荷機器１４ｂは、所定のパルス時間の接点信号に基づいて動作するパルス接点動作機器であり、負荷機器１４ｃは、スイッチ操作後、所定時間遅延させて消灯させることができる照明器具であるものとする。ａ接点対応の機器とは、出力用リレー端末器１３に対してオン信号又はオフ信号を出力すると、出力用リレー端末器１３がオン又はオフの接点信号を出力すれば良い機器である。これに対し、後述のｂ接点対応の機器とは、出力用リレー端末器１３に対してオン信号又はオフ信号を出力すると、出力用リレー端末器１３が、その逆のオフ又はオンの接点信号を出力しなければならない機器である。
【００２１】
このような接点制御システムにおいて、出力用リレー端末器１３は、負荷機器１４ａ，１４ｂ，１４ｃのそれぞれに応じて接点信号の出力形態を変化させることができるように、内部のプロセッサの制御のもとに、接点信号の出力形態を設定及び切り替え可能に構成される。ここで、出力用リレー端末器１３は、例えば図２に示すように、その筐体表面に、接点信号の出力形態の設定を、現場の施工業者といった設定者の物理的な操作によって行うための切り替え操作子１５を設けて構成される。
【００２２】
なお、接点信号の出力形態の設定内容とは、ａ接点に対応して接点信号を出力するモード、ｂ接点に対応して接点信号を出力するモード、所定のパルス時間のワンパルス接点信号を出力するモード、接点信号を所定時間遅延させて出力するモード、若しくは、接点信号を所定時間間隔でフリッカ出力するモード、又は、これらを組み合わせたモード等のいずれかである。
【００２３】
具体的には、切り替え操作子１５としては、スイッチ１５ａや回転式ツマミ１５ｂ等を設けるのが好適である。スイッチ１５ａは、例えば、ａ接点対応の接点信号を出力するモード、ｂ接点対応の接点信号を出力するモード、及びワンパルス接点信号を出力するモードに切り替え可能に構成される。また、回転式ツマミ１５ｂは、回転させることにより、接点信号を所定時間遅延させて出力する際のディレイ時間や、ワンパルス接点信号を出力する際のパルス時間を切り替え可能に構成される。なお、切り替え操作子１５の具体的構成はこれに限るものではなく、例えば押下式のボタン等、物理的に操作可能なものであれば任意のものを適用することができる。
【００２４】
このような切り替え操作子１５は、複数の負荷機器を接続するために接点信号の出力端子が複数ある場合には、各出力端子について出力形態を切り替え可能とするように、例えば各出力端子に対応させて設けられる。したがって、設定者は、ａ接点対応の機器である負荷機器１４ａが接続される出力端子に対応した切り替え操作子１５については、スイッチ１５ａを操作することにより、ａ接点対応の接点信号を出力するモードに設定すればよい。また、設定者は、パルス接点動作機器である負荷機器１４ｂが接続される出力端子に対応した切り替え操作子１５については、スイッチ１５ａを操作することにより、ワンパルス接点信号を出力するモードに設定すると共に、回転式ツマミ１５ｂを操作して所望のパルス時間に設定すればよい。さらに、設定者は、接点信号を所定時間遅延させて出力する必要がある負荷機器１４ｃが接続される出力端子に対応した切り替え操作子１５については、スイッチ１５ａを操作することにより、当該負荷機器１４ｃが受信可能なａ接点対応接点信号若しくはｂ接点対応接点信号又はワンパルス接点信号のいずれかを出力するモードに設定すると共に、回転式ツマミ１５ｂを操作して所望のディレイ時間に設定すればよい。
【００２５】
このような切り替え操作子１５を設ける出力用リレー端末器１３は、当該切り替え操作子１５の設定内容を内部のプロセッサに取り込み、当該プロセッサの制御のもとに、接点信号の出力形態を切り替える。
【００２６】
したがって、設定者は、現場の施工時に、接続する負荷機器に応じて切り替え操作子１５を操作するのみで、接点信号の出力形態を容易に設定することができる。
【００２７】
なお、図２においては、接点信号を所定時間間隔でフリッカ出力するように切り替えるための切り替え操作子１５が図示されていないが、出力用リレー端末器１３には、かかる切り替え操作子１５も設けられることはいうまでもない。特に、接点信号を所定時間間隔でフリッカ出力するように切り替えるための切り替え操作子１５は、図示しない入力用リレー端末器に設けることも考えられるが、出力用リレー端末器１３に設けるのが望ましい。これは、切り替え操作子１５を入力用リレー端末器に設けた場合には、負荷機器の点滅動作のうち点灯時毎に、その旨を命令する接点信号を出力用リレー端末器１３に対して送信する必要があり、多重伝送線Ｌを伝送するデータ量が増加してしまうためである。
【００２８】
以上詳細に説明したように、本発明の第１の実施形態に係る接点制御システムにおいて、出力用リレー端末器１３は、負荷機器１４ａ，１４ｂ，１４ｃに応じた接点信号の出力形態の設定内容をプロセッサに入力し、当該プロセッサの制御のもとに、入力された設定内容に基づいて接点信号の出力形態を切り替える。特に、この接点制御システムにおいては、接点信号の出力形態の設定を設定者の物理的な操作によって行うことが可能なように、出力用リレー端末器１３の筐体表面に切り替え操作子１５を設け、この切り替え操作子１５の設定内容を取り込んだプロセッサの制御のもとに接点信号の出力形態を切り替えることにより、用途に応じた様々な接点信号の出力形態の要求に応えるために複数の端末器や外付けのリレー等を用いる必要がなくなるので、現場の手配の負担を大幅に軽減することができると共に、設置面積の低減を図ることができる。また、この接点制御システムにおいては、量産効果を大幅に上げることができることから製造コストの低減を図ることもできる。
【００２９】
［第２の実施形態］
つぎに、本発明の第２の実施形態として示す接点制御システムについて説明する。
【００３０】
この接点制御システムは、無線通信又は有線通信を介して、接点出力端末器としての出力用リレー端末器から出力される接点信号の出力形態を切り替えるものである。したがって、この第２の実施形態の説明においては、第１の実施形態の説明と同様の構成については同一符号を付し、その詳細な説明を省略するものとする。
【００３１】
接点制御システムは、図３に示すように、ユーザの操作を受け付ける多重伝送スイッチ１１と、信号の転送制御を行う多重伝送親機１２と、接点出力端末器としての出力用リレー端末器２１とが、多重伝送線Ｌを介して接続されて構成される。
【００３２】
出力用リレー端末器２１は、接点信号の入力に応じて動作する負荷機器１４ａ，１４ｂ，１４ｃ，１４ｄと接続しており、多重伝送線Ｌを介して多重伝送親機１２から出力された制御信号に基づいて、内部のプロセッサの制御のもとに、当該負荷機器１４ａ，１４ｂ，１４ｃ，１４ｄを制御するための接点信号を出力する。なお、ここでは、説明の便宜上、負荷機器１４ａは、通常のａ接点対応の機器であり、負荷機器１４ｂは、所定のパルス時間の接点信号に基づいて動作するパルス接点動作機器であり、負荷機器１４ｃは、スイッチ操作後、所定時間遅延させて消灯させることができる照明器具であり、負荷機器１４ｄは、所定時間間隔で点滅動作する警告灯であるものとする。
【００３３】
このような接点制御システムにおいて、出力用リレー端末器２１は、現場の施工業者等の設定者が操作する外部の設定器２２と信号の送受信を行う送受信部２１ａを有し、当該設定器２２と赤外線通信等の無線通信又は所定の伝送線を介した有線通信を行うことが可能に構成される。そして、出力用リレー端末器２１は、送受信部２１ａを介して、設定器２２から送信された設定信号を受信し、この設定信号に基づいて、負荷機器１４ａ，１４ｂ，１４ｃ，１４ｄのそれぞれに応じて接点信号の出力形態を変化させることができるように、内部のプロセッサの制御のもとに、接点信号の出力形態を切り替える。
【００３４】
具体的には、設定器２２は、例えば図４に示すように、その表示部に、出力用リレー端末器２１における接点信号の各出力端子に対応するアドレス毎の接点信号の出力形態を設定するための設定画面を表示する。なお、設定画面の具体的構成はこれに限るものではなく、必要事項を設定可能なものであれば任意のものを適用することができる。
【００３５】
設定者は、ａ接点対応の機器である負荷機器１４ａが接続される出力端子に対応したアドレスについては、設定器２２を操作することにより、ａ接点対応の接点信号を出力するモードに設定すればよい。また、設定者は、パルス時間が１秒の接点信号に基づいて動作するパルス接点動作機器である負荷機器１４ｂが接続される出力端子に対応したアドレスについては、設定器２２を操作することにより、ワンパルス接点信号を出力するモードに設定すると共に、パルス時間を１秒に設定すればよい。さらに、設定者は、オフ指示のａ接点対応の接点信号を３０秒間遅延させて出力する必要がある負荷機器１４ｃが接続される出力端子に対応したアドレスについては、設定器２２を操作することにより、ａ接点対応の接点信号を出力するモードに設定すると共に、遅延させる接点信号がオフ指示のものである旨を設定し、さらに、ディレイ時間を３０秒に設定すればよい。さらにまた、設定者は、２秒間隔で点滅動作する警告灯である負荷機器１４ｄが接続される出力端子に対応したアドレスについては、設定器２２を操作することにより、接点信号をフリッカ出力するモードに設定すると共に、接点信号をオン／オフ交互に出力する時間間隔を２秒に設定すればよい。
【００３６】
出力用リレー端末器２１は、このような設定画面を介して設定された内容を示す設定信号が設定器２２から送信されると、送受信部２１ａを介して当該設定信号を受信し、内部のプロセッサに取り込む。そして、出力用リレー端末器２１は、プロセッサの制御のもとに、取り込んだ設定信号に基づいて接点信号の出力形態を切り替える。
【００３７】
したがって、設定者は、現場の施工時に、接続する負荷機器に応じて設定器２２を操作して設定信号を送信するのみで、接点信号の出力形態を容易に設定することができる。
【００３８】
以上詳細に説明したように、本発明の第２の実施形態に係る接点制御システムにおいては、外部の設定器２２を設定者が操作することによって設定された、接点信号の出力形態の設定内容を示す設定信号を無線通信又は有線通信を介して出力用リレー端末器２１に対して送信し、接点信号の出力形態を直接設定することができる。したがって、この接点制御システムにおいては、用途に応じた様々な接点信号の出力形態の要求に応えるために複数の端末器や外付けのリレー等を用いる必要がなくなるので、現場の手配の負担を大幅に軽減することができると共に、設置面積の低減を図ることができる。また、この接点制御システムにおいては、量産効果を大幅に上げることができることから製造コストの低減を図ることもできる。
【００３９】
［第３の実施形態］
最後に、本発明の第３の実施形態として示す接点制御システムについて説明する。
【００４０】
この接点制御システムは、多重伝送線を介した通信により、接点出力端末器としての出力用リレー端末器から出力される接点信号の出力形態を切り替えるものである。したがって、この第３の実施形態の説明においては、第１の実施形態及び第２の実施形態の説明と同様の構成については同一符号を付し、その詳細な説明を省略するものとする。
【００４１】
接点制御システムは、図５に示すように、ユーザの操作を受け付ける多重伝送スイッチ１１と、信号の転送制御を行う多重伝送親機１２と、接点出力端末器としての出力用リレー端末器３１とが、多重伝送線Ｌを介して接続されて構成される。
【００４２】
出力用リレー端末器３１は、接点信号の入力に応じて動作する負荷機器１４ａ，１４ｂ，１４ｃ，１４ｄと接続しており、多重伝送線Ｌを介して多重伝送親機１２から出力された制御信号に基づいて、内部のプロセッサの制御のもとに、当該負荷機器１４ａ，１４ｂ，１４ｃ，１４ｄを制御するための接点信号を出力する。
【００４３】
このような接点制御システムにおいて、出力用リレー端末器３１は、現場の施工業者等の設定者が操作する外部の設定器３２と多重伝送線Ｌを介して接続されており、図示しない送受信部を介して、当該設定器３２から送信された設定信号を受信し、この設定信号に基づいて、負荷機器１４ａ，１４ｂ，１４ｃ，１４ｄのそれぞれに応じて接点信号の出力形態を変化させることができるように、内部のプロセッサの制御のもとに、接点信号の出力形態を切り替える。
【００４４】
具体的には、設定器３２は、先に図４に示した設定画面と同様の設定画面を表示部に表示し、設定者の操作のもとに設定された内容を示す設定信号を、多重伝送線Ｌを介して出力用リレー端末器３１に対して送信する。これに応じて、出力用リレー端末器３１は、受信した設定信号を内部のプロセッサに取り込み、当該プロセッサの制御のもとに、取り込んだ設定信号に基づいて接点信号の出力形態を切り替える。
【００４５】
なお、出力用リレー端末器３１には、予め、当該出力用リレー端末器３１に固有の端末器番号が割り当てられていると共に、接点信号の各出力端子に端子番号が割り当てられており、設定器３２は、これら端末器番号及び端子番号を、参照可能にメモリ等に格納している。そして、接点制御システムにおいては、設定者が設定器３２を操作する際に、設定したい出力用リレー端末器３１に固有の端末器番号及び端子番号を指定することにより、多重伝送親機１２が、多重伝送線Ｌに接続されている他の出力用リレー端末器と識別し、指定した出力用リレー端末器３１に対して設定信号を送信する。
【００４６】
したがって、設定者は、現場の施工時に、接続する負荷機器に応じて設定器３２を操作して設定信号を送信するのみで、接点信号の出力形態を容易に設定することができる。特に、多重伝送線Ｌは、例えば建物全体に敷設されるので、設定者は、設定したい出力用リレー端末器３１の近傍にまで出向かずとも、遠隔から所望の設定及び設定内容の確認を行うことができる。
【００４７】
なお、接点制御システムにおいては、図示しない複数の多重伝送親機にウェブページ作成装置を接続し、多重伝送線Ｌに接続されている全ての出力用リレー端末器の設定内容が掲載されたウェブページを当該ウェブページ作成装置によって作成し、このウェブページを、図示しない所定の管理端末器を用いて管理することもできる。これにより、接点制御システムにおいては、遠隔にある管理端末器を用いて設定者がウェブページを閲覧し、必要に応じて、所望の出力用リレー端末器の設定内容の確認や更新を行うことができる。
【００４８】
以上詳細に説明したように、本発明の第３の実施形態に係る接点制御システムにおいては、多重伝送線Ｌに接続された外部の設定器３２を設定者が操作することによって設定された、接点信号の出力形態の設定内容を示す設定信号を出力用リレー端末器３１に対して送信し、接点信号の出力形態を遠隔設定することができる。そのため、この接点制御システムにおいては、用途に応じた様々な接点信号の出力形態の要求に応えるために複数の端末器や外付けのリレー等を用いる必要がなくなるので、現場の手配の負担を大幅に軽減することができると共に、設置面積の低減を図ることができる。また、この接点制御システムにおいては、量産効果を大幅に上げることができることから製造コストの低減を図ることもできる。
【００４９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５０】
【図１】本発明の第１の実施形態として示す接点制御システムの構成を示す図である。
【図２】本発明の第１の実施形態として示す接点制御システムにおける出力用リレー端末器の筐体表面に設けられる切り替え操作子の具体的構成を示す平面図である。
【図３】本発明の第２の実施形態として示す接点制御システムの構成を示す図である。
【図４】本発明の第２の実施形態として示す接点制御システムにおける設定器の表示部に表示される設定画面の具体的構成を示す図である。
【図５】本発明の第３の実施形態として示す接点制御システムの構成を示す図である。
【図６】従来の接点制御システムの構成を示す図であり、接点信号を反転させる外部リレーを設けた構成を示す図である。
【図７】従来の接点制御システムの構成を示す図であり、接点信号をワンパルス出力させるワンパルスリレーを設けた構成を示す図である。
【図８】従来の接点制御システムの構成を示す図であり、接点信号の出力を遅延させるディレイリレーを設けた構成を示す図である。
【図９】従来の接点制御システムの構成を示す図であり、接点信号をフリッカ出力させるフリッカリレーを設けた構成を示す図である。
【符号の説明】
【００５１】
１１  多重伝送スイッチ
１２  多重伝送親機
１３，２１，３１  出力用リレー端末器
１４ａ，１４ｂ，１４ｃ，１４ｄ  負荷機器
１５  切り替え操作子
１５ａ  スイッチ
１５ｂ  回転式ツマミ
２２，３２  設定器
Ｌ  多重伝送線
【図１】
2008294828.tif 000003
【図２】
2008294828.tif 000004
【図３】
2008294828.tif 000005
【図４】
2008294828.tif 000006
【図５】
2008294828.tif 000007
【図６】
2008294828.tif 000008
【図７】
2008294828.tif 000009
【図８】
2008294828.tif 000010
【図９】
2008294828.tif 000011